(57)【特許請求の範囲】
【請求項１】
少なくとも１対のディスクと、複数のトラニオンと、これら各トラニオンと同数のパワーローラと、複数の支持板とを備え、
このうちの各ディスクは、それぞれが断面円弧形のトロイド曲面である互いの軸方向片側面同士を対向させた状態で、互いに同心に、相対回転を可能に支持されたものであり、
前記各トラニオンは、前記各パワーローラを支持する為の支持梁部と、この支持梁部の両端部から前記各ディスクの径方向に関して内側に折れ曲がった、前記各トラニオン毎に１対ずつの折れ曲がり部と、これら両折れ曲がり部の互いに反対側の側面である外側面に互いに同心に設けられた１対の傾転軸とを備えたものであり、
前記各支持板は、前記各トラニオンの支持梁部を前記各傾転軸の軸方向に関して両側から挟む位置に支持されていて、これら各傾転軸に整合する部分にそれぞれ円形の保持孔を設けたものであり、
前記各トラニオンは、前記各ディスクの軸方向に関してこれら各ディスクの軸方向側面同士の間位置の周方向に関して複数箇所に配置されていて、それぞれの両端部に設けた前記各傾転軸を前記各支持板に設けた前記各保持孔の内側に、ラジアル軸受により揺動変位を可能に支持されており、
前記各パワーローラは、前記各トラニオンを構成する前記支持梁部の内側面に、それぞれ転がり軸受を介して回転自在に、且つ、前記各ディスクの軸方向の変位を可能に支持された状態で、球状凸面としたそれぞれの周面を、前記各ディスクの軸方向片側面にそれぞれ転がり接触させているトロイダル型無段変速機に於いて、
前記各傾転軸の軸方向に関する前記各トラニオンの両端面の一部で、これら各傾転軸からそれぞれ前記支持梁部の側に外方に外れた肩部の外側面に、これら各傾転軸を中心とする部分円弧状の突条を、前記各トラニオンと一体に且つ前記各ディスクの軸方向全幅に亙り設け、これら各突条の先端縁を前記各支持板の互いに対向する側面に当接させた事を特徴とするトロイダル型無段変速機。
【請求項２】
前記各傾転軸を前記各保持孔の内側に支持するラジアル軸受がラジアルニードル軸受であり、前記各傾転軸の外周面自体がこのラジアルニードル軸受の内輪軌道であり、前記各突条が、前記各トラニオンの両端面を構成する肩部の外側面のうちで、前記各傾転軸から最も離れた部分に設けられており、この肩部の外側面のうち、これら各傾転軸の径方向に関して、前記各突条寄り部分よりも前記各傾転軸寄り部分が、前記各トラニオンの長さ方向中央側に向けて凹んでいる、請求項１に記載したトロイダル型無段変速機。
【請求項３】
前記各突条が、前記各トラニオンの両端面を構成する肩部の外側面のうちで、前記各傾転軸の径方向に関して中間部に設けられており、この肩部の外側面のうち、前記各突条の両側部分が、同一平面上に存在する、請求項１に記載したトロイダル型無段変速機。
【請求項４】
前記各トラニオンの両端部に設けた前記各傾転軸の中心を含む仮想平面に関する、前記各突条の断面形状が、部分凸円弧状である、請求項１〜３のうちの何れか１項に記載したトロイダル型無段変速機。
【請求項５】
前記各トラニオンの両端部に設けた前記各傾転軸の中心を含む仮想平面に関する、前記各突条の断面形状が台形であり、これら各突条の頂部が、中立状態で前記各支持板の側面と平行な平面である、請求項１〜３のうちの何れか１項に記載したトロイダル型無段変速機。
【請求項６】
前記各トラニオンの両端部に設けた前記各傾転軸の中心を含む仮想平面に関する、前記各突条の断面形状が傾斜台形であり、これら各突条の頂部が、前記各傾転軸から離れるに従って前記各肩部の外側面からの突出量が少なくなる方向に傾斜した傾斜面である、請求項１〜３のうちの何れか１項に記載したトロイダル型無段変速機。
【発明の詳細な説明】
【技術分野】
【０００１】
この発明は、自動車用変速装置として、或いはポンプ等の各種産業用機械の運転速度を調節する為の変速装置として利用する、トロイダル型無段変速機の改良に関する。具体的には、円滑な変速動作を確保し易く、しかも低コストで造れる構造の実現を図るものである。
【背景技術】
【０００２】
自動車用変速機を構成する変速機の一種としてトロイダル型無段変速機が、多くの刊行物に記載される等により広く知られており、一部で実施されている。又、トロイダル型無段変速機と遊星歯車機構とを組み合わせて無段変速装置を構成し、このうちのトロイダル型無段変速機単体としての変速比（減速比）に比べて、無段変速装置全体としての速度比（増速比）の調節範囲を大きくする構造も、例えば特許文献１に記載される等により、従来から知られている。図１９〜２２は、この特許文献１に記載された、無段変速装置の従来構造の１例を示している。尚、以下の説明では、明りょう化の為、トロイダル型無段変速機単体に関しては変速比の語を使用し、無段変速装置に関しては速度比の語を使用する。
【０００３】
前記特許文献１に記載された無段変速装置は、トロイダル型無段変速機１と、前段、中段、後段の３段階のユニットを備えた遊星歯車式変速機２とを、低速用クラッチ３と高速用クラッチ４とを介して組み合わせて成る。そして、これら両クラッチ３、４の断接状態を切り換えると共に、前記トロイダル型無段変速機１の変速比を調節する事により、入力軸５と出力軸６との間の速度比を無限大に調節可能としている。即ち、前記低速用クラッチ３を接続すると共に前記高速用クラッチ４の接続を断った低速モード状態で、前記トロイダル型無段変速機１の変速比を調節する事により、前記入力軸５を一方向に回転させた状態のまま、前記出力軸６を、停止状態を挟んで、両方向に回転させられる様にしている。これに対して、前記高速用クラッチ４を接続すると共に前記低速用クラッチ３の接続を断った高速モード状態で、前記トロイダル型無段変速機１の変速比を増速側に変化させる程、前記無段変速装置全体としての速度比も増速側に変化させる様にしている。
【０００４】
上述の様なトロイダル型無段変速機１は、１対の入力側ディスク７ａ、７ｂと、一体型の出力側ディスク８と、複数のパワーローラ９、９とを備える。そして、これら両入力側ディスク７ａ、７ｂは、前記入力軸５を介して互いに同心に、且つ、同期した回転を自在として結合されている。又、前記出力側ディスク８は、前記両入力側ディスク７ａ、７ｂ同士の間に、これら両入力側ディスク７ａ、７ｂと同心に、且つ、これら両入力側ディスク７ａ、７ｂに対する相対回転を自在として支持されている。更に、前記各パワーローラ９、９は、これら各ディスク７ａ、７ｂ、８の軸方向に関して、この出力側ディスク８の軸方向両側面とこれら両入力側ディスク７ａ、７ｂの軸方向片側面との間に、それぞれ複数個ずつ挟持されている。そして、これら両入力側ディスク７ａ、７ｂの回転に伴って回転しつつ、これら両入力側ディスク７ａ、７ｂから前記出力側ディスク８に動力を伝達する。
【０００５】
前記出力側ディスク８はその軸方向両端部を、それぞれがスラストアンギュラである１対の玉軸受１０、１０等の転がり軸受により、回転自在に支持している。又、前記各パワーローラ９、９はそれぞれ、トラニオン１１、１１の内側面に、回転自在に支持している。又、これら各トラニオン１１、１１の両端部を支持する為に１対の支持板１２ａ、１２ｂをケーシング１３の内側に、互いに平行に且つ上下方向に間隔を空けて配置されたアクチュエータボディー１４及び連結板１５と、１対の支柱１６、１６とを介して設けている。これら両支柱１６、１６はそれぞれ、前記入力軸５を挟んで径方向反対側に互いに同心に設けられた１対の支持ポスト部１７ａ、１７ｂを、環状乃至は枠状の支持部１８により連結して成る。前記入力軸５は、この支持部１８の内側を挿通している。
【０００６】
又、前記両支柱１６、１６の下端部は、前記アクチュエータボディー１４の上面に凹凸嵌合により、取付位置並びに取付方向を規制した状態で、それぞれボルト１９、１９により結合固定している。これに対して前記両支柱１６、１６の上端部は前記連結板１５の下面に、それぞれボルト２０、２０により、やはり凹凸嵌合に基づいて取付位置を規制した状態で結合固定している。この様にして前記アクチュエータボディー１４の上面と前記連結板１５の下面との間に掛け渡した前記１対の支柱１６、１６に設けた、前記各支持ポスト部１７ａ、１７ｂのうち、下側の支持ポスト部１７ａ、１７ａを、前記１対の支持板１２ａ、１２ｂのうちの下側の支持板１２ａに形成した支持孔２１ａ、２１ａに、がたつきなく内嵌している。又、上側の支持ポスト部１７ｂ、１７ｂを、前記１対の支持板１２ａ、１２ｂのうちの上側の支持板１２ｂに形成した支持孔２１ｂ、２１ｂに、がたつきなく内嵌している。
【０００７】
前記各トラニオン１１、１１は、それぞれ、支持梁部２２と、１対ずつの折れ曲がり部２３ａ、２３ｂ及び傾転軸２４ａ、２４ｂとを備える。このうちの支持梁部２２は、前記各パワーローラ９、９を支持する為の部分で、これら各パワーローラ９、９はこの支持梁部２２の内側面に、偏心軸２５と、複数の転がり軸受２６ａ、２６ｂ、２６ｃ、２６ｄとにより支持されている。この状態で前記各パワーローラ９、９は、前記偏心軸２５の先半部を中心とする回転を自在に、且つ、この偏心軸２５の基半部を中心とする、前記各ディスク７ａ、７ｂ、８の軸方向の揺動変位を可能に支持される。又、前記両折れ曲がり部２３ａ、２３ｂは、前記支持梁部２２の両端部から前記各ディスク７ａ、７ｂ、８の径方向に関して内側に折れ曲がっている。そして、前記両折れ曲がり部２３ａ、２３ｂの互いに反対側の側面である外側面に前記両傾転軸２４ａ、２４ｂを、互いに同心に設けている。
【０００８】
それぞれが上述の様に構成され、それぞれの支持梁部２２の内側面に前記各パワーローラ９、９を支持した、前記各トラニオン１１、１１は、前記両支持板１２ａ、１２ｂ同士の間に掛け渡す状態で、前記各傾転軸２４ａ、２４ｂを中心とする揺動及びこれら各傾転軸２４ａ、２４ｂの軸方向の変位を可能に支持している。この為に、前記両支持板１２ａ、１２ｂの四隅部分に、それぞれ円形の保持孔２７ａ、２７ｂを、これら両支持板１２ａ、１２ｂを貫通する状態で形成している。そして、これら各保持孔２７ａ、２７ｂの内周面と前記各傾転軸２４ａ、２４ｂの外周面との間に、それぞれラジアルニードル軸受２８、２８を設けている。これら各ラジアルニードル軸受２８、２８は、外周面が部分球面状の凸曲面である外輪２９、２９を備え、これら各外輪２９、２９を前記各保持孔２７ａ、２７ｂに、がたつきなく、且つ、これら各保持孔２７ａ、２７ｂの軸方向に関する変位及び若干の揺動変位を可能に内嵌している。前記各ラジアルニードル軸受２８、２８を構成するニードル３０、３０は、前記各傾転軸２２ａ、２２ｂの外周面に設けた内輪軌道と前記各外輪２９、２９の内周面に設けた外輪軌道との間に、転動自在に設けている。
【０００９】
尚、前記アクチュエータボディー１４と前記連結板１５とのうち、アクチュエータボディー１４は、前記ケーシング１３の下部に固定している。又、前記連結板１５は前記ケーシング１３内に、長さ方向（図１９〜２０の左右方向、図２１の表裏方向）及び幅方向の位置を規制した状態で設置している。この位置規制を行う為に、前記連結板１５の上面と、前記ケーシング１３の天板部３１の下面との間に位置決めスリーブ３２、３２を掛け渡している。前記出力側ディスク８の軸方向両端部は、この様にして前記ケーシング１３内の所定位置に固定した１対の支柱１６、１６の中間部に設けられた前記両支持部１８、１８に、前記両玉軸受１０、１０により、回転自在に支持している。
【００１０】
上述の様なトロイダル型無段変速機１の変速比を調節するには、前記アクチュエータボディー１４内に収納したアクチュエータ３３ａ、３３ｂにより、前記各トラニオン１１、１１を前記各傾転軸２４ａ、２４ｂの軸方向に変位させる。言い換えれば、これら各傾転軸２４ａ、２４ｂに関する前記各トラニオン１１、１１の位置を、中立位置から、変速比を調節すべき方向に応じた方向に変位させる。この変位により、前記各ディスク７ａ、７ｂ、８の軸方向側面と前記各パワーローラ９、９の周面との転がり接触部（トラクション部）に作用する力の方向が変化する。具体的には、前記各ディスク７ａ、７ｂ、８の回転方向に関する接線方向に対し傾斜した方向の分力が発生する。そして、この分力に基づいて前記各トラニオン１１、１１が前記各パワーローラ９、９と共に、前記各傾転軸２４ａ、２４ｂを中心として傾斜し、その結果、前記各ディスク７ａ、７ｂ、８の径方向に関する前記各トラクション部の位置が変化し、前記変速比の調節が行われる。この変速比が所望値になった状態で、前記各トラニオン１１、１１の位置を前記中立位置に戻せば、前記変速比が調節後の値に保持される。
【００１１】
前記トロイダル型無段変速機１によるトルク伝達時には、このトルク伝達に寄与する部材である、前記各ディスク７ａ、７ｂ、８や前記各パワーローラ９、９、並びに、これら各パワーローラ９、９を支持している前記各トラニオン１１、１１が弾性変形する。そして、これら各部材７ａ、７ｂ、８、９、１１の弾性変形量は伝達するトルクの大きさに応じて変動し、その結果、これら各ディスク７ａ、７ｂ、８の軸方向に関する、前記各パワーローラ９、９の位置が変動する。図１９〜２２に示した従来構造の第１例の場合には、前記各偏心軸２５、２５の先半部の周囲に回転自在に支持された前記各パワーローラ９、９が、これら各偏心軸２５、２５の基半部を中心として、前記各ディスク７ａ、７ｂ、８の軸方向の揺動変位する事で補償する。
【００１２】
尚、トロイダル型無段変速機の構成各部材の弾性変形に拘らず、各ディスクの軸方向に関する各パワーローラの位置を適正に維持する為の構造として、特許文献２に記載された構造も、従来から知られている。後述する本発明の実施の形態の構造は、この引用文献２に記載された構造を利用するものであるから、この引用文献２に記載された構造に就いて、図２３〜２６により説明する。この特許文献２に記載されたトロイダル型無段変速機を構成するトラニオン１１ａは、両端部に互いに同心に設けられた１対の傾転軸２４ａ、２４ｂ同士の間に、少なくとも入力、出力各ディスク７ａ、７ｂ、８（図１９〜２０参照）の径方向（図２４〜２６の上下方向）に関する内側（図２４〜２６の上側）の側面を円筒状凸面３４とした、支持梁部２２ａを設けている。
【００１３】
この円筒状凸面３４の中心軸イは、図２４〜２６に示す様に、前記両傾転軸２４ａ、２４ｂの中心軸ロと平行で、これら両傾転軸２４ａ、２４ｂの中心軸ロよりも、前記各ディスク７ａ、７ｂ、８の径方向に関して外側（図２４〜２６の下側）に存在する。又、前記支持梁部２２ａとパワーローラ９の外側面との間に設けるスラスト玉軸受３５を構成する外輪３６の外側面に、部分円筒面状の凹部３７を、この外側面を径方向に横切る状態で設けている。そして、この凹部３７と、前記支持梁部２２ａの円筒状凸面３４とを係合させ、前記トラニオン１１ａに対して前記外輪３６を、前記各ディスク７ａ、７ｂ、８の軸方向に関する揺動変位を可能に支持している。
【００１４】
又、前記外輪３６の内側面中央部に支持軸３８を、この外輪３６と一体に固設して、前記パワーローラ９をこの支持軸３８の周囲に回転自在に支持している。更に、前記トラニオン１１ａの内側面のうち、前記支持梁部２２ａの両端部と１対の傾転軸２４ａ、２４ｂとの連続部に、互いに対向する１対の段差面３９、３９を設けている。そして、これら両段差面３９、３９と、前記スラスト玉軸受３５を構成する外輪３６の外周面とを、当接若しくは近接対向させて、前記パワーローラ９からこの外輪３６に加わるトラクション力を、何れかの段差面３９、３９で支承可能としている。
【００１５】
上述の図２３〜２６に示した構造によれば、特許文献２に記載されている様に、前記パワーローラ９を前記各ディスク７ａ、７ｂ、８の軸方向に変位させて、構成各部材の弾性変形量の変化に拘らず、前記パワーローラ９の周面と前記各ディスク７ａ、７ｂ、８との接触状態を適正に維持できる構造を、簡単で低コストに構成できる。
即ち、前記パワーローラ９を前記各ディスク７ａ、７ｂ、８の軸方向に変位させる必要が生じると、前記外輪３６が前記円筒状凸面３４の中心軸イを中心として揺動変位する。この揺動変位に基づき、前記パワーローラ９の周面のうちで、前記各ディスク７ａ、７ｂ、８の軸方向片側面と転がり接触する部分が、これら各ディスク７ａ、７ｂ、８の軸方向に変位し、前記接触状態を適正に維持する。
【００１６】
前記各ディスク７ａ、７ｂ、８の軸方向に関する各パワーローラ９、９の変位を許容する構造の如何に拘らず、トロイダル型無段変速機１を構成する、前記各トラニオン１１、１１ａと前記両支持板１２ａ、１２ｂとの位置関係は頻繁に変化する。先ず、前記変速比調節の開始時には、前記各保持孔２７ａ、２７ｂの内周面と前記各外輪２９、２９の外周面との摩擦により前記両支持板１２ａ、１２ｂに、前記各傾転軸２４ａ、２４ｂの軸方向の力が加わる。この力の作用方向は、図２１の左右両側で、上下逆方向になるので、前記両支持板１２ａ、１２ｂが傾斜する傾向になる。又、実際に変速比が変化し始めると、前記各傾転軸２４ａ、２４ｂを中心として前記各トラニオン１１、１１ａが、前記両支持板１２ａ、１２ｂに対し揺動変位する。更に、大きなトルク伝達時には、前記各トラニオン１１、１１ａが前記各パワーローラ９、９から加わる大きなスラスト荷重により弾性変形し、これに伴って、前記各トラニオン１１、１１ａの両端部に設けた１対ずつの傾転軸２４ａ、２４ｂの同心性が損なわれる（これら両傾転軸２４ａ、２４ｂの中心軸同士が僅かに傾斜する）。この傾斜は、それぞれの外周面を部分球面状とした前記各外輪２９、２９の揺動変位により補償するが、この補償に伴って、前記各トラニオン１１、１１ａと前記両支持板１２ａ、１２ｂとの位置関係が僅かにずれる。
【００１７】
上述の様に、トロイダル型無段変速機１の運転時には、前記各トラニオン１１、１１ａと前記両支持板１２ａ、１２ｂとの位置関係が頻繁に変化する。この変化を許容して、前記トロイダル型無段変速機１の変速動作を安定して行わせる為に、従来から、特許文献３〜８には、支持板とトラニオンとのうちの一方の部材に、他方の部材に対して突出する部分を設けた構造が記載されている。図２７〜３０は、前記特許文献３〜８に記載された発明の構造そのものではないが、このうちの特許文献８に記載された構造と類似した構造を示している。
【００１８】
前記図２７〜３０に記載した構造の場合には、トラニオン１１ａの両端面の一部で、各傾転軸２４ａ、２４ｂからそれぞれ支持梁部２２ａの側に外方に外れた肩部４０、４０の外側面の２箇所位置ずつに、それぞれ有底の円孔４１、４１を形成している。又、これら各円孔４１、４１に鋼球４２、４２を圧入固定し、これら各鋼球４２、４２の一部を、前記各肩部４０、４０の外側面から突出させている。そして、図３０に示す様にトロイダル型無段変速機１を組み立てた状態で、前記各鋼球４２、４２を、１対の支持板１２ａ、１２ｂの互いに対向する側面の一部で、前記各傾転軸２４ａ、２４ｂを支持している保持孔２７ａ、２７ｂの近傍部分に当接させている。この様な構造により、前記トラニオン１１ａと前記両支持板１２ａ、１２ｂとの位置関係の変化を許容して、前記トロイダル型無段変速機の変速動作を安定して行わせる事ができる。
【００１９】
但し、上述の図２７〜３０に示した様な構造は、前記各円孔４１、４１を高精度に加工する必要があるだけでなく、部品管理及び組立作業が何れも面倒であり、更には、異物混入に就いても十分な注意を払う必要がある為、製造コストが嵩む事が避けられない。先ず、前記各円孔４１、４１の深さ寸法は、そのまま前記各肩部４０、４０の外側面からの前記各鋼球４２、４２の突出量に影響するので、高精度に規制する必要がある。従って、前記各円孔４１、４１の加工コストが嵩む。又、小さくて転がり易い前記各鋼球４２、４２を用意し、これら各円孔４１、４１に適正量圧入する事は面倒で、組立コストを増大させる原因となる。更に、これら各円孔４１、４１を切削加工し、更にこれら各円孔４１、４１内に前記各鋼球４２、４２を圧入する過程で、微小な切削屑が生じる可能性がある。この様な切削屑がトラクションオイル中に混入すると、前記トロイダル型無段変速機１の構成各部材に微小傷等の損傷を発生し、このトロイダル型無段変速機１の耐久性を損なう可能性がある。この為、前記各円孔４１、４１の加工後、並びに、これら各円孔４１、４１内への前記各鋼球４２、４２の圧入後に、これら各円孔４１、４１や各鋼球４２、４２の設置部分を十分に洗浄する必要があり、やはりトロイダル型無段変速機１の製造コストを高くする原因となる。
【００２０】
他の特許文献に記載された構造にしても、同様の問題を生じたり、加工コストが嵩む、球面座の如き高価な部品を使用するので、製造コストが嵩む等の問題を生じる。又、特許文献３に記載された如く、支持板の側に凸部を形成する構造の場合には、この支持板の強度を確保しつつ、製造コストを低く抑える事が難しい。即ち、この支持板は、必要な強度を確保する為、硬度の高い金属板により作る必要があるが、この様な金属板に、形状精度を十分に確保しつつ凸部を形成する作業は面倒で、製造コストを高くする原因となる。
【先行技術文献】
【特許文献】
【００２１】
【特許文献１】特開２００４−８４７１２号公報
【特許文献２】特開２００８−２５８２１号公報
【特許文献３】特開平７−１７４２０１号公報
【特許文献４】特開２００１−３２３９８２号公報
【特許文献５】特開２００７−１７０５９２号公報
【特許文献６】特開２０１０−３１８８３号公報
【特許文献７】特開２０１１−１１２０８７号公報
【特許文献８】特開２０１１−１２７６３１号公報
【発明の概要】
【発明が解決しようとする課題】
【００２２】
本発明は、上述の様な事情に鑑みて、円滑な変速動作を確保し易く、しかも低コストで造れるトロイダル型無段変速機の構造を実現すべく発明したものである。
【課題を解決するための手段】
【００２３】
本発明のトロイダル型無段変速機は、少なくとも１対のディスクと、複数のトラニオンと、これら各トラニオンと同数のパワーローラと、複数の支持板とを備える。
このうちの各ディスクは、それぞれが断面円弧形のトロイド曲面である互いの軸方向片側面同士を対向させた状態で、互いに同心に、相対回転を可能に支持されている。
又、前記各トラニオンは、前記各パワーローラを支持する為の支持梁部と、この支持梁部の両端部から前記各ディスクの径方向に関して内側に折れ曲がった、前記各トラニオン毎に１対ずつの折れ曲がり部と、これら両折れ曲がり部の互いに反対側の側面である外側面に互いに同心に設けられた１対の傾転軸とを備える。
又、前記各支持板は、前記各トラニオンの支持梁部を前記各傾転軸の軸方向に関して両側から挟む位置に支持されていて、これら各傾転軸に整合する部分にそれぞれ円形の保持孔を設けている。
又、前記各トラニオンは、前記各ディスクの軸方向に関してこれら各ディスクの軸方向側面同士の間位置の周方向に関して複数箇所に配置されていて、それぞれの両端部に設けた前記各傾転軸を前記各支持板に設けた前記各保持孔の内側に、ラジアル軸受により揺動変位を可能に支持されている。
更に、前記各パワーローラは、前記各トラニオンを構成する前記支持梁部の内側面に、それぞれ転がり軸受を介して回転自在に、且つ、前記各ディスクの軸方向の変位を可能に支持された状態で、球状凸面としたそれぞれの周面を、前記各ディスクの軸方向片側面にそれぞれ転がり接触させている。
【００２４】
特に、本発明のトロイダル型無段変速機に於いては、前記各傾転軸の軸方向に関する前記各トラニオンの両端面の一部で、これら各傾転軸からそれぞれ前記支持梁部の側に外方に外れた肩部の外側面に、これら各傾転軸を中心とする部分円弧状の突条を、前記各トラニオンと一体に且つ前記各ディスクの軸方向全幅に亙り設けている。そして、これら各突条の先端縁を、前記各支持板の互いに対向する側面に当接させている。
【００２５】
この様な本発明を実施する場合に、例えば請求項２に記載した発明の様に、前記各傾転軸を前記各保持孔の内側に支持するラジアル軸受をラジアルニードル軸受とし、前記各傾転軸の外周面自体を、このラジアルニードル軸受の内輪軌道とする。又、前記各突条を、前記各トラニオンの両端面を構成する肩部の外側面のうちで、前記各傾転軸から最も離れた部分に設ける。更に、この肩部の外側面のうち、これら各傾転軸の径方向に関して、前記各突条寄り部分よりも前記各傾転軸寄り部分を、前記各トラニオンの長さ方向中央側に向けて凹ませる。
或いは、請求項３に記載した発明の様に、前記各突条を、前記各トラニオンの両端面を構成する肩部の外側面のうちで、前記各傾転軸の径方向に関して中間部に設ける。そして、この肩部の外側面のうち、前記各突条の両側部分を、同一平面上に存在させる。
【００２６】
又、上述の様な本発明を実施する場合に、例えば請求項４に記載した発明の様に、前記各トラニオンの両端部に設けた前記各傾転軸の中心を含む仮想平面に関する、前記各突条の断面形状を、部分凸円弧状とする。
或いは、請求項５に記載した発明の様に、前記仮想平面に関する、前記各突条の断面形状を台形とする。そして、これら各突条の頂部を、中立状態で前記各支持板の側面と平行な平面とする。
或いは、請求項６に記載した発明の様に、前記仮想平面に関する、前記各突条の断面形状を傾斜台形とする。そして、これら各突条の頂部を、前記各傾転軸から離れるに従って前記各肩部の外側面からの突出量が少なくなる方向に傾斜した傾斜面とする。
【発明の効果】
【００２７】
上述の様に構成する本発明のトロイダル型無段変速機によれば、円滑な変速動作を確保し易く、しかも低コストで造れる。
即ち、各傾転軸を中心とする部分円弧状の各突条を、各トラニオンと一体に造るが、元々高い形状精度及び寸法精度を要求されるこれら各トラニオンと一体に造る事で、前記各突条に関しても、特に余分なコストを要する事なく（これら各トラニオンの製造コストを大幅に高くする事なく）、十分な形状精度及び寸法精度を確保できる。この為、前記各トラニオンと各支持板との位置関係が不適切になる事を防止できる。又、前記各突条が、前記各傾転軸を中心とする部分円弧状であるから、変速比の調節時に前記各トラニオンがこれら各傾転軸を中心として揺動変位する際に、前記各突条はこれら各傾転軸の周囲で回転方向に往復移動するのみで、径方向に変位する事はない。従って、前記各突条の頂部と各支持板の側面との擦れ合い部に作用する摩擦抵抗を低く抑えられる。これらにより、コストを抑えつつ、前記変速動作の円滑化を図れる。
【００２８】
又、請求項２に記載した発明によれば、ラジアルニードル軸受の内輪軌道として機能する、前記各傾転軸の外周面の仕上加工を容易に行える。
これに対して、請求項３に記載した発明の場合には、前記各傾転軸の外周面の仕上加工が多少面倒にはなるが、これら各傾転軸の中心から、前記各突条の先端と前記各支持板の側面との摺接部までの距離を短くできる。この距離を短くできる事で、前記各傾転軸を中心として前記各トラニオンが揺動変位する際の抵抗（モーメント）をより低く抑えられて、前記変速動作をより円滑化できる。
【図面の簡単な説明】
【００２９】
【図１】本発明の実施の形態の第１例を示す、トラニオンの斜視図。
【図２】図１の上方から見た状態で示す端面図。
【図３】他の構成部材と組み合わせて、トロイダル型無段変速機のユニットを構成した状態を、図２１と同方向から見た状態で示す断面図。
【図４】図３のＡ部拡大図。
【図５】本発明の実施の形態の第２例を示す、トラニオンの斜視図。
【図６】図５の上方から見た状態で示す端面図。
【図７】他の構成部材と組み合わせた状態を示す、図４と同様の図。
【図８】本発明の実施の形態の第３例を示す、トラニオンの斜視図。
【図９】図８の上方から見た状態で示す端面図。
【図１０】他の構成部材と組み合わせた状態を示す、図４と同様の図。
【図１１】本発明の実施の形態の第４例を示す、トラニオンの斜視図。
【図１２】図１１の上方から見た状態で示す端面図。
【図１３】他の構成部材と組み合わせた状態を示す、図４と同様の図。
【図１４】本発明の実施の形態の第５例を示す、トラニオンの斜視図。
【図１５】図１４の上方から見た状態で示す端面図。
【図１６】他の構成部材と組み合わせた状態を示す、図４と同様の図。
【図１７】本発明の実施の形態の第６例を示す、トラニオンの斜視図。
【図１８】他の構成部材と組み合わせた状態を示す、図４と同様の図。
【図１９】本発明の対象となるトロイダル型無段変速機を組み込んだ、従来から知られている無段変速装置の１例を示す縦断側面図。
【図２０】図１９のＢ部拡大図。
【図２１】図１９のＣ−Ｃ断面図。
【図２２】トロイダル型無段変速機のユニット部分を取り出して示す斜視図。
【図２３】従来から知られている、トロイダル型無段変速機に組み込まれる、トラニオンとパワーローラとを組み合わせて成るパワーローラユニットの斜視図。
【図２４】同じく周方向から見た状態で示す正投影図。
【図２５】同じく図２４と同方向から見た状態で示す断面図。
【図２６】図２４のＤ−Ｄ断面図。
【図２７】本発明に先立って考えた、支持板との位置決めを図る為の鋼球を組み込んだパワーローラユニットを示す斜視図。
【図２８】図２７の上方から見た状態で示す端面図。
【図２９】図２８のＥ−Ｅ断面図。
【図３０】他の構成部材と組み合わせてトロイダル型無段変速機のユニットを構成した状態を示す、図３と同様の図。
【発明を実施するための形態】
【００３０】
［実施の形態の第１例］
図１〜４は、請求項１、２、４に対応する、本発明の実施の形態の第１例を示している。尚、本発明の特徴は、円滑な変速動作を確保し易い構造を低コストで造るべく、各トラニオン１１ａ、１１ａの両端部に設けた肩部４０、４０の外側面に突条４３、４３を、これら各トラニオン１１ａ、１１ａと一体に設ける点にある。その他の部分の構成及び作用は、前述の図１９〜２６に記載した構造を含めて、従来から知られているトロイダル型無段変速機と同様であるから、同等部分に関する図示並びに説明は、省略若しくは簡略にし、以下、本例の特徴部分を中心に説明する。
【００３１】
各傾転軸２４ａ、２４ｂの軸方向に関する前記各トラニオン１１ａ、１１ａの両端面に前記各突条４３、４３を、これら各トラニオン１１ａ、１１ａと一体に設けている。これら各突条４３、４３を形成する位置は、前記両端面の一部で、前記各傾転軸２４ａ、２４ｂからそれぞれ支持梁部２２ａの側に外方に外れた肩部４０、４０の外側面のうちで、これら各傾転軸２４ａ、２４ｂから最も離れた部分としている。又、前記各突条４３、４３の形状は、これら各傾転軸２４ａ、２４ｂの軸方向から見た形状に関しては、これら各傾転軸２４ａ、２４ｂを中心とする部分円弧状としている。又、これら各傾転軸２４ａ、２４ｂの中心を含む仮想平面に関する断面形状に関しては、部分凸円弧状としている。
【００３２】
更に、前記各肩部４０、４０の外側面のうち、前記各傾転軸２４ａ、２４ｂの径方向に関して、前記各突条４３、４３寄り部分（図４の左寄り部分）よりも、これら各傾転軸２４ａ、２４ｂ寄り部分（図４の右寄り部分）を、前記各トラニオン１１ａ、１１ａの長さ方向中央側（図４の下側）に向け凹ませて、当該部分に、部分円弧状の凹溝４４、４４を形成している。前記各傾転軸２４ａ、２４ｂの外周面は、ラジアルニードル軸受２８、２８の内輪軌道として機能させるべく、超仕上等の仕上加工を施している。前記各凹溝４４、４４は、この仕上加工時に、砥石等の工具が余分な部分に擦れ合う事を防止して、この仕上加工の能率化に寄与する。
【００３３】
上述の様な前記各突条４３、４３を設けた、前記各トラニオン１１ａ、１１ａを組み込んだ本例の構造によれば、円滑な変速動作を確保し易いトロイダル型無段変速機を、低コストで造れる。
即ち、前記各傾転軸２４ａ、２４ｂを中心とする部分円弧状である、前記各突条４３、４３を、前記各トラニオン１１ａ、１１ａと一体に造る。これら各トラニオン１１ａ、１１ａは、僅かな形状誤差や寸法誤差も、トラクション部の位置や面圧に無視できない程の影響を及ぼす為、元々高い形状精度及び寸法精度を要求される。即ち、前記各トラニオン１１ａ、１１ａは、金属製の素材に、冷間鍛造等の塑性加工と、仕上の為の切削加工及び研削加工を施して造るが、これら各加工に就いては、元々高い精度を要求されている。従って、前記各突条４３、４３を前記各トラニオン１１ａ、１１ａと一体に造れば、特に余分なコストを要する事なく、十分な形状精度及び寸法精度を確保した状態で、前記各突条４３、４３を造れる。言い換えれば、前記各トラニオン１１ａ、１１ａの製造コストを大幅に高くする事なく、十分な精度を有する前記各突条４３、４３を得られる。この為、トロイダル型無段変速機の製造コストの上昇を抑えつつ、前記各トラニオン１１ａ、１１ａと各支持板１２ａ、１２ｂとの位置関係が不適切になる事を防止できる。
【００３４】
又、前記各突条４３、４３が、前記各傾転軸２４ａ、２４ｂを中心とする部分円弧状であるから、変速比の調節時に前記各トラニオン１１ａ、１１ａが前記各傾転軸２４ａ、２４ｂを中心として揺動変位する際に、前記各突条４３、４３はこれら各傾転軸２４ａ、２４ｂの周囲で回転方向に往復移動するのみで、径方向に変位する事はない。従って、前記各突条４３、４３の頂部と前記各支持板１２ａ、１２ｂの側面との擦れ合い部に作用する摩擦抵抗を低く抑えられる。これらにより、コストを抑えつつ、前記変速動作の円滑化を図れる。
【００３５】
［実施の形態の第２例］
図５〜７は、請求項１、２、５に対応する、本発明の実施の形態の第２例を示している。本例の場合には、各傾転軸２４ｂの中心を含む仮想平面に関する、各突条４３ａ、４３ａの断面形状を、台形としている。そして、これら各突条４３ａ、４３ａの頂部を、中立状態で、各支持板１２ｂの側面と平行な平面としている。尚、この中立状態とは、トロイダル型無段変速機の変速比を一定とした（変速動作を行っていない）状態で、各トラニオン１１ａの位置が、前述した中立位置に存在する状態を言う。
この様な本例の構造によれば、トロイダル型無段変速機の運転時の多くの割合を占める、前記中立状態時に、前記各突条４３ａ、４３ａの頂部と各支持板１２ａの側面との当接部の面圧を低く抑えて、この当接部の摩耗を抑えられる。従って、本例の構造は、大きなトルクを伝達する必要があるトロイダル型無段変速機に好適である。
その他の部分の構成及び作用は、上述した実施の形態の第１例と同様であるから、重複する図示並びに説明は省略する。
【００３６】
［実施の形態の第３例］
図８〜１０は、請求項１、２、６に対応する、本発明の実施の形態の第３例を示している。本例の場合には、各傾転軸２４ｂの中心を含む仮想平面に関する、各突条４３ｂ、４３ｂの断面形状を、傾斜台形としている。そして、これら各突条４３ｂ、４３ｂの頂部を、各傾転軸２４ｂから離れるに従って各肩部４０、４０の外側面からの突出量が少なくなる方向に傾斜した傾斜面としている。
この様な本例の構造によれば、前記各突条４３ｂ、４３ｂの頂部と各支持板１２ａの側面との当接部の面圧が中立状態で高くなる代わりに、変速動作時に、各トラニオン１１ａの弾性変形に伴い前記各支持板１２ａの側面と前記各突条４３ｂ、４３ｂの側面（頂部）との成す角度が小さくなって（これら両側面がほぼ平行になって）、前記各トラニオン１１ａと前記各支持板１２ａとの相対変位を円滑に行わせる事ができる。従って、本例の構造は、伝達するトルクが小さくて済むトロイダル型無段変速機に好適である。
その他の部分の構成及び作用は、前述した実施の形態の第１例及び上述した実施の形態の第２例と同様であるから、重複する図示並びに説明は省略する。
【００３７】
［実施の形態の第４〜６例］
図１１〜１３は請求項１、３、４に対応する、図１４〜１６は請求項１、３、５に対応する、図１７〜１８は請求項１、３、６に対応する、それぞれ本発明の実施の形態の第４〜６例を示している。これら各例の構造の場合には、それぞれ、各トラニオン１１ａの両端面に形成した突条４３、４３ａ、４３ｂの位置を、肩部４０、４０の外側面のうちで、各傾転軸２４ｂの径方向に関して中間部に設けている。又、前記各肩部４０、４０の外側面のうち、前記各突条４３、４３ａ、４３ｂの両側部分を、同一平面上に存在させている。
【００３８】
それぞれが、上述の様に、前記各突条４３、４３ａ、４３ｂを前記各傾転軸２４ｂに近い側に設けた、実施の形態の第４〜６例の構造の場合、先に説明した実施の形態の第１〜３例の様な凹溝４４を設け難く、その分、前記各傾転軸２４ｂの外周面の仕上加工を行い難い代わりに、変速動作の円滑化を図り易い。即ち、これら各傾転軸２４ｂの中心から、前記各突条４３、４３ａ、４３ｂの先端と各支持板１２ａの側面との摺接部までの距離を短くできる。この距離を短くできる事で、前記各傾転軸２４ｂを中心として前記各トラニオン１１ａが揺動変位する際の抵抗（モーメント）をより低く抑えられて、前記変速動作の円滑化を図り易くできる。
その他の部分の構成及び作用は、前述した実施の形態の第１〜３例と同様であるから、重複する図示並びに説明は省略する。
【産業上の利用可能性】
【００３９】
本発明のトロイダル型無段変速機は、前述の図１９〜２２に示した様な、遊星歯車式変速機と組み合わせて大きな速度比を得られる無段変速装置を構成するトロイダル型無段変速機として利用するだけでなく、遊星歯車式変速機と組み合わせる事なく、単独で自動車用自動変速機等を構成するトロイダル型無段変速機として利用する事もできる。
又、トラニオンとパワーローラとの係合部の構造に関しても、図１〜１８に示した実施の形態の各例の様に、スラスト玉軸受の外輪をトラニオンの支持梁部に対し、部分円筒面同士の係合により揺動変位可能に支持する構造に限らずに実施できる。即ち、前述の図１９〜２２に示した従来構造の様に、それぞれが平面である、スラスト玉軸受の外輪の外側面とトラニオンの支持梁部の内側面との間にスラスト軸受を設けて、各ディスクの軸方向に関するパワーローラの変位を可能にする構造に関して、本発明を実施する事もできる。
更には、図１９〜２２に示した様な、１対の入力側ディスクを設けた、所謂ダブルキャビティ型の構造に限らず、入力ディスクと出力ディスクとを１個ずつ設けた、所謂シングルキャビティ型のトロイダル型無段変速機に関して本発明を実施する事もできる。
【符号の説明】
【００４０】
１    トロイダル型無段変速機
２    遊星歯車式変速機
３    低速用クラッチ
４    高速用クラッチ
５    入力軸
６    出力軸
７ａ、７ｂ  入力側ディスク
８    出力側ディスク
９    パワーローラ
１０    玉軸受
１１、１１ａ  トラニオン
１２ａ、１２ｂ  支持板
１３    ケーシング
１４、１４ａ、１４ｂ  アクチュエータボディー
１５    連結板
１６    支柱
１７ａ、１７ｂ  支持ポスト部
１８    支持部
１９    ボルト
２０    ボルト
２１ａ、２１ｂ  支持孔
２２、２２ａ  支持梁部
２３ａ、２３ｂ  折れ曲がり部
２４ａ、２４ｂ  傾転軸
２５    偏心軸
２６ａ、２６ｂ、２６ｃ、２６ｄ  転がり軸受
２７ａ、２７ｂ  保持孔
２８    ラジアルニードル軸受
２９    外輪
３０    ニードル
３１    天板部
３２    位置決めスリーブ
３３ａ、３３ｂ  アクチュエータ
３４    円筒状凸面
３５    スラスト玉軸受
３６    外輪
３７    凹部
３８    支持軸
３９    段差面
４０    肩部
４１    円孔
４２    鋼球
４３、４３ａ、４３ｂ  突条
４４    凹溝
【図１】
0005939015.tif 000002
【図２】
0005939015.tif 000003
【図３】
0005939015.tif 000004
【図４】
0005939015.tif 000005
【図５】
0005939015.tif 000006
【図６】
0005939015.tif 000007
【図７】
0005939015.tif 000008
【図８】
0005939015.tif 000009
【図９】
0005939015.tif 000010
【図１０】
0005939015.tif 000011
【図１１】
0005939015.tif 000012
【図１２】
0005939015.tif 000013
【図１３】
0005939015.tif 000014
【図１４】
0005939015.tif 000015
【図１５】
0005939015.tif 000016
【図１６】
0005939015.tif 000017
【図１７】
0005939015.tif 000018
【図１８】
0005939015.tif 000019
【図１９】
0005939015.tif 000020
【図２０】
0005939015.tif 000021
【図２１】
0005939015.tif 000022
【図２２】
0005939015.tif 000023
【図２３】
0005939015.tif 000024
【図２４】
0005939015.tif 000025
【図２５】
0005939015.tif 000026
【図２６】
0005939015.tif 000027
【図２７】
0005939015.tif 000028
【図２８】
0005939015.tif 000029
【図２９】
0005939015.tif 000030
【図３０】
0005939015.tif 000031